(57)【要約】【課題】（マシンツール）制御装置の作動を模擬可能で容易に輸送可能なシミレータを提供する。【解決手段】複数の第１のユーザ作動可能デバイス（第１のデバイスと呼ぶ）及び第１の表示画面を有する（マシンツール）制御装置のためのシミレータは、ユーザ作動可能デバイス（第２のデバイスと呼ぶ）を具備するキーボードと第２の表示画面とを有するラップトップコンピュータと第２のデバイスは、第１のデバイスに対応し、第１のデバイスの配置と同様な配置を有する。第２のデバイスに接続する通信媒体は、第２のデバイスを介して提供されるユーザ入力を通信する。コンピュータは、通信媒体に接続してユーザ入力を受信し、ユーザ入力に応答して第２の表示画面に画像を表示する。前記画像は、ユーザ入力に応答して前記制御装置の第１の表示画面に表示される画像を模擬する。【選択図】図３
2007213580.tif 000002
【特許請求の範囲】
【請求項１】
複数の第１のユーザ作動可能デバイス及び第１の表示画面を有するマシンツール制御装置のためのマシンツール制御装置シミレータであって、
ユーザ作動可能デバイスであって、各々が前記第１のユーザ作動可能デバイスのそれぞれ１つに対応しており、第２のユーザ作動可能デバイスが、前記第１のユーザ作動可能デバイスの配置と実質的に同様な配置を有する、第２のユーザ作動可能デバイスと、
前記第２のユーザ作動可能デバイスに接続していて且つ前記第２のユーザ作動可能デバイスを介して提供される少なくとも１つの第１のユーザ入力を通信するように形成される通信媒体と、
を具備するシミレータにおいて、
前記シミレータは、キーボード及び取り付けられた第２の表示画面を具備する、ラップトップコンピュータを更に具備しており、
前記コンピュータは、前記通信媒体に接続されて、それにより前記少なくとも１つの第１のユーザ入力を受信しており、前記コンピュータは、前記少なくとも１つの第１のユーザ入力に応答して前記第２の表示画面に画像を表示するように形成されており、前記画像は、前記同じ少なくとも１つの第１のユーザ入力に応答して、前記マシンツール制御装置の前記第１の表示画面を模擬する、マシンツール制御装置シミレータ。
【請求項２】
前記第２のユーザ作動可能デバイスは、ダイアルと、ボタンと、ノブと、スウィッチの内の少なくとも１つを具備する、請求項１に記載のマシンツール制御装置シミレータ。
【請求項３】
前記通信媒体はケーブルを具備する請求項１に記載のマシンツール制御装置シミレータ。
【請求項４】
前記コンソールは、前記ラップトップの前記キーボードから離れて離隔する前記複数の第２のユーザ作動可能デバイスを支持する補助装置を更に具備しており、前記補助装置は、複数の脚を具備する請求項１に記載のマシンツール制御装置シミレータ。
【請求項５】
前記補助装置は、横方向に伸縮自在に形成されて、少なくとも１つの第１の脚と少なくとも１つの第２の脚との間に前記キーボードの種々の可能な幅を収容する請求項４に記載のマシンツール制御装置シミレータ。
【請求項６】
前記ラップトップコンピュータの前記第２の表示画面に重ねられる接触画面を更に具備しており、
前記接触画面は、少なくとも１つの第２のユーザ入力を前記コンピュータに通信するように形成される請求項１に記載のマシンツール制御装置シミレータ装置。
【請求項７】
前記コンピュータは、前記通信媒体に接続して、それにより前記少なくとも１つの第１のユーザ入力を受信するプロセッサを具備しており、前記プロセッサは、前記第２の表示画面に表示された画像を制御するように形成される請求項１に記載のマシンツール制御装置シミレータ。
【請求項８】
前記コンピュータは、前記通信媒体に接続されて、それにより前記少なくとも１つの第１のユーザ入力を受信する、ポートを具備する請求項１に記載のマシンツール制御装置シミレータ。
【請求項９】
マシンツール制御装置の模擬方法において、この方法は、
キーボードと表示画面を具備するラップトップコンピュータを提供する手順と、
前記マシンツール制御装置のユーザ作動可能デバイスに適合する、ユーザ作動可能デバイスを具備するコンソールを提供する手順と、
前記ラップトップコンピュータに前記コンソールを接続する手順と、
前記ユーザ作動可能デバイスを介してユーザ入力を受信する手順と、
前記コンソールから前記ラップトップコンピュータへ前記ユーザ入力を通信する手順と、更に
前記ユーザ入力に依存する前記表示画面に画像を表示する画像表示手順であって、前記画像は、前記ユーザ入力と実質的に同様な入力に応答して、前記マシンツール制御装置により表示される、画像に対応する、画像表示手順と、
を具備するマシンツール制御装置の模擬方法。
【請求項１０】
前記ラップトップコンピュータの前記表示画面に接触画面を重ねる手順を更に具備する請求項９に記載の方法。
【請求項１１】
入力に対応する表示を、前記ラップトップコンピュータの前記表示画面に表示する手順と、
ユーザ入力を前記接触画面から前記ラップトップコンピュータへ通信する手順と、
を更に具備する請求項１０に記載の方法。
【請求項１２】
ユーザ入力を前記接触画面から前記ラップトップコンピュータへ直接的に通信する手順を更に具備する請求項１１に記載の方法。
【請求項１３】
前記ユーザ入力を前記コンソールから前記ラップトップコンピュータへ通信する手順は、前記ラップトップコンピュータのキーボードとは独立して実施される請求項９に記載の方法。
【請求項１４】
複数の第１のユーザ作動可能デバイス及び第１の表示画面を有するマシンツール制御装置のためのマシンツール制御装置シミレータであって、
前記マシンツール制御装置を模擬するように形成されたソフトウェアを有するコンピュータであって、キーボードと表示装置とを具備するコンピュータと、
前記コンピュータの前記表示装置上に配置された接触画面と、
前記第１のユーザ作動可能デバイスのそれぞれ１つに各々が対応する複数の第２のユーザ作動可能デバイスを具備する、コンソールであって、前記第２のユーザ作動可能デバイスは、前記第１のユーザ作動可能デバイスの配置と実質的に同様な配置を有する、コンソールと、
を具備するシミレータにおいて、
前記コンソールは、前記コンピュータの前記キーボードに対して独立して、前記コンピュータに接続するシミレータ。
【請求項１５】
前記コンピュータの前記キーボード上で、前記コンソールを支持するように形成される補助装置を更に具備する請求項１４に記載のマシンツール制御装置シミレータ。
【請求項１６】
前記補助装置は、複数の脚を具備する請求項１５に記載のマシンツール制御装置シミレータ。
【請求項１７】
前記ソフトウェアは、入力領域に対応する少なくとも１つの第１の表示を、前記コンピュータの表示装置に表示する請求項１４に記載のマシンツール制御装置シミレータ。
【請求項１８】
前記接触画面は、前記コンピュータに接続して、前記入力領域に重なる領域の接触画面にユーザが接触することに応答して、前記コンピュータに指示を提供する請求項１７に記載のマシンツール制御装置シミレータ。
【請求項１９】
前記第２のユーザ作動可能デバイスは、ダイアルとボタンとノブとスウィッチの内の少なくとも１つを具備する請求項１４に記載のマシンツール制御装置シミレータ。
【請求項２０】
前記コンソールは前記コンピュータにケーブルを介して接続する請求項１４に記載のマシンツール制御装置シミレータ。
【発明の詳細な説明】
【技術分野】
【０００１】
本発明は、マシンツール（機械器具）制御装置（コントローラ）のユーザ（使用者）インターフェースを実演（又は、実験）するための装置及び方法に関する。
【背景技術】
【０００２】
マシンツール（機械器具）制御装置は、ユーザ（使用者）がマシンツール（機械器具）の動きを制御することを可能にする、電子インターフェースを提供する。貿易ショー（見本市）において又は顧客に対して等において、マシンツール（機械器具）機械工具制御装置のユーザインターフェースを実演（又は、実験）する必要性が存在する場合がある。制御装置自体は、大きく重い場合があるので、その様な実演のために容易に輸送可能ではない。また、その例が図１及び２に示される幾つかの異なるモデル（型式）は、実演される必要がある場合があり、それにより輸送の負担が増大する。
【発明の開示】
【発明が解決しようとする課題】
【０００３】
本発明は、容易に輸送可能なシミレータ（模擬実験装置）を提供しており、そのシミレータは、ラップトップ（卓上式）又はノートブック式コンピュータと共に使用されて、種々のマシンツール制御装置（コントローラ）の作動を模擬（シミレート）しても良い。本発明はまた、シミレータ又はラップトップ装置を使用して、マシンツール制御装置を模擬する方法を提供しても良い。
【課題を解決するための手段】
【０００４】
本発明の例示の一実施の形態において、複数の第１のユーザ作動可能デバイス及び第１の表示画面を有するマシンツール制御装置のためのマシンツール制御装置シミレータが提供される。このシミレータは、ラップトップコンピュータとユーザ作動可能デバイスを具備しており、第２のユーザ作動可能デバイスの各々は、前記第１のユーザ作動可能デバイスのそれぞれ１つに対応する。第２のユーザ作動可能デバイスは、第１のユーザ作動可能デバイスの配置と実質的に同様な配置を有する。通信媒体は、第２のユーザ作動可能デバイスに接続しており、第２のユーザ作動可能デバイスを介して提供されるユーザ入力を通信する。補助装置が、第２のユーザ作動可能デバイスに接続して、第２のユーザ作動可能デバイスをラップトップ上で支持する。ラップトップコンピュータは、キーボードと、取り付けられた第２の表示画面とを具備する。キーボードは、テーブルトップ（机の上面）と第２のユーザ作動可能デバイスとの間に設置される。コンピュータは、通信媒体に接続し、それによりユーザ入力を受信する。コンピュータは、ユーザ入力に応答して、第２の表示画面に画像を表示する。画像は、ユーザ入力に応答してマシンツール制御装置の第１の表示画面に表示される、画像を模擬する。
【０００５】
本発明の別の例示の実施の形態において、マシンツール制御装置を模擬する方法が提供される。この方法は、キーボードと表示画面を具備するラップトップコンピュータを提供する手順を具備する。コンソールは、マシンツール制御装置のユーザ作動可能デバイスに適合する、ユーザ作動可能デバイスを具備するように提供される。コンソールは、キーボード上で支持される。ユーザ入力は、ユーザ作動可能デバイスを介して受信される。ユーザ入力は、コンソールからラップトップコンピュータへ通信される。画像は、ユーザ入力とは独立して、表示画面に表示される。画像は、ユーザ入力と実質的に同様な入力に応答して、マシンツール制御装置により表示される、画像に対応する。
【０００６】
本発明の別の例示の実施の形態において、複数の第１のユーザ作動可能デバイス及び第１の表示画面を有するマシンツール制御装置のためのマシンツール制御装置シミレータが具備される。シミレータは、コンソールとラップトップコンピュータとを具備する。コンソールは、第１のユーザ作動可能デバイスのそれぞれ１つに各々が対応する複数の第２のユーザ作動可能デバイスを具備しており、第２のユーザ作動可能デバイスは、第１のユーザ作動可能デバイスの配置と実質的に同様な配置を有しており、通信媒体は、第２のユーザ作動可能デバイスに接続して、第２のユーザ作動可能デバイスを介して提供される少なくとも１つの第１のユーザ入力を通信するように形成される。ラップトップコンピュータは、キーボードと、取り付けられた第２の表示画面とを具備しており、コンピュータは、通信媒体に接続して、それにより少なくとも１つの第１のユーザ入力を受信する。コンピュータは、少なくとも１つの第１のユーザ入力に応答して、第２の表示画面に画像を表示するように形成され、画像は、同じ少なくとも１つのユーザ入力に応答して、マシンツール制御装置の第１の表示画面を模擬する。
【０００７】
本発明の更に別の例示の実施の形態において、マシンツール制御装置を模擬する方法が提供される。この方法は、キーボードと表示画面を具備するラップトップコンピュータを提供する手順と、マシンツール制御装置のユーザ作動可能デバイスに適合する、ユーザ作動可能デバイスを具備するコンソールを提供する手順と、ラップトップコンピュータにコンソールを接続する手順と、ユーザ作動可能デバイスを介してユーザ入力を受信する手順と、コンソールからラップトップコンピュータへユーザ入力を通信する手順と、更にユーザ入力に依存する表示画面に画像を表示する画像表示手順と、を具備する。画像は、ユーザ入力と実質的に同様な入力に応答して、マシンツール制御装置により表示される、画像に対応する。
【０００８】
本発明のやはり別の例示の実施の形態において、複数の第１のユーザ作動可能デバイス及び第１の表示画面を有するマシンツール制御装置のためのマシンツール制御装置シミレータが提供される。シミレータは、マシンツール制御装置を模擬するように形成されたソフトウェアを有するコンピュータであって、キーボードと表示装置とを具備するコンピュータと、コンピュータの表示装置上に配置された接触画面と、第１のユーザ作動可能デバイスのそれぞれ１つに各々が対応する複数の第２のユーザ作動可能デバイスを具備する、コンソールとを具備する。第２のユーザ作動可能デバイスは、第１のユーザ作動可能デバイスの配置と実質的に同様な配置を有する。コンソールは、コンピュータのキーボードとは独立してコンピュータに接続する。
【０００９】
添付の図面と共に、本発明の実施の形態の以下の説明を参照することにより、本発明の上述の特徴及び目的、更に上述以外の特徴及び目的は、それらを実現する方法と共に、より明確になり、更に本発明自体がより以上に理解されるはずである。
【００１０】
本明細書に記載される実施例は、幾つかの形で本発明の実施の形態を図解しており、以下に開示される実施の形態は、本発明の範囲を開示された詳細な形に制限するように解釈されることを意図するものではない。
【発明を実施するための最良の形態】
【００１１】
一般的に本発明は、装置（デバイス）とラップトップの組み合わせにより、マシンツール（機械器具）制御装置（コントローラ）を模擬可能にするために、ラップトップコンピュータ上に搭載されても良い、装置（デバイス）の実現を目的とする。図１と２は、本発明により模擬されても良い、製造用マシンツール制御装置の２つのバージョン（改訂版）を示しており、即ち、One technology Way, Indianapolis Indiana 46268にあるHurco Companies, Inc.により入手可能なULTIMAXブランド（商品名）の制御装置である。前記２つのバージョンの各々は、むしろ嵩張っており、例えば、セールスマン等により実演される目的で輸送されるには困難である可能性がある。
【００１２】
図３に示されるように、本発明のラップトップ式マシンツール制御装置シミレータ（模擬実験装置）８は、模擬されるべき１つ以上のマシンツール（機械器具）制御装置に類似して適合する、外観及び感じを有しても良い、コンソール１０を具備する。コンソール１０は、ラップトップコンピュータ１４のキーボード１３上にコンソール１０を浮かせて設置する、４本の伸縮自在の脚１２ａ−ｄの形の補助装置を具備しても良い。ラップトップ１４及び脚１２ａ−ｄの遠位端部は、テーブルトップ（面）等の表面により支持されても良い。脚１２ａ−ｄは、横方向１６，１８において可変に伸張して種々の幅のラップトップキーボードを収容しても良い。
【００１３】
ラップトップ１４は、コンパクトディスク（ＣＤ）（図示されない）を介してソフトウェアプログラムを入力されても良く、ソフトウェアプログラムは、ラップトップ１４の表示画面２０（ディスプレイスクリーン）が図１と２に示される２つの制御装置の内少なくとも１つの表示画面を模擬することを可能にする。異なるコンパクトディスクは、マシンツール制御装置の異なるモデルの模擬を可能にするために、ラップトップ１４に入力されても良い。これとは別に、単一のコンパクトディスクは、マシンツール制御装置の多数のモデルの模擬を可能にする、プログラムを具備しても良い。１つの実施の形態において、ラップトップ１４に入力された模擬（シミレーション）プログラムは、Redmond,Washingtonのマイクロソフト社により製作されたウィンドーズ（WINDOWS（登録商標））ブランドのソフトウェア製品に基づく。
【００１４】
コンソール１０は、ＵＳＢケーブル２２の形の通信媒体を介してラップトップ１４と通信しても良いので、画面２０の表示された画像は、コンソール１０を介して受信されたユーザ入力に対して反応し且つそれに依存しても良い。ユーザ入力を受信するために、コンソール１０は、模擬されているマシンツール制御装置のユーザ作動可能デバイス（装置）に適合する、ユーザ作動可能デバイス（装置）を具備しても良い。より特別には、ユーザは、コンソール１０上の作動デバイス（装置）２１により入力を提供しても良く、その作動デバイス（装置）２１は、コンソール１０上において、種々のダイアル、プッシュボタン、ノブ（つまみ）、スウィッチ等を具備しても良い。これらのユーザ入力は、ケーブル２２を介してラップトップ１４と通信しても良い。ラップトップ１４に入力されたプログラムはその後、ユーザ入力を処理して画面（スクリーン）２０に表示された画像を変更しても良いので、従ってそれにより、実際のマシンツール制御装置の表示画面が同じユーザ入力に対してどのように反応するかを模倣する。即ち、画面２０上に表示された画像は、コンソール１０を介して受信されたユーザ入力と実質的に同様である、ユーザ入力に応答して、実際のマシンツール制御装置により表示されるであろう画像に対応しても良い。
【００１５】
実際のマシンツール制御装置は、ユーザが指定された領域の画面に接触することを可能にしてそれによりユーザ入力を提供する、接触（タッチ）感知性画面（スクリーン）を有しても良い。もちろん、標準のラップトップコンピュータは、接触感知性画面を具備しない。従って、実際のマシンツール制御装置をより良好に模擬するために、本発明は、透明な接触画面２４を具備して良く、透明な接触画面２４は、シミレータ８がユーザ入力を受信するために、デバイス２１に加えて別の媒体を提供する。接触画面２４は、ラップトップ１４の画面２０に適用されても良く、あるいはそれに重ねられても良い。
【００１６】
接触画面２４は、既知の電気的抵抗率（又は、抵抗）の特性を有する、平行な頂部と底部の薄いシート又は層（図示されない）を具備しても良い。ユーザの指又はツール（器具）が頂部層を押圧して窪ませると、頂部層及び底部層は、物理的にお互いに接触し、電気的に共にショート（短絡）する。既知の電圧が、層の１つに適用可能であり、もう一方の層は、抵抗器を介して地面（又は、接地）に接続可能である。１つの層の地点からもう一方の層の地点までの電圧降下を計測することにより、前記２つの地点間の全体の抵抗は決定可能であり、従って、窪み（identation）が発生した頂部層の地点の座標は、頂部層及び底部層における抵抗の既知のパターン（模様）から計算可能である。底部層は、破壊に対して高い抵抗力のある透明パネルに積層されても良い。
【００１７】
ユーザが、選択されたボタン２６に重なる、接触画面（タッチスクリーン）２４の一部分を押圧することにより選択しても良い、ボタン又はアイコン２６等の表示（iudicia）が、画面２０に表示されても良い。接触画面２４は、ユーザにより押圧された接触画面２４上の位置を検知しても良く、更にそれの信号指示をコンソール１０及び/又はラップトップ１４に送信しても良い。従って、接触画面２４は、実際のマシンツール制御装置の接触画面形態を模擬することを可能にする。コンソール１０は、電線（ワイア）の形であっても良い導管２８，３０を介して接触画面２４と通信しても良い。
【００１８】
ユーザが指又は何かのタイプのツール（器具）でもって接触画面２４に接触すると、接触画面２４は、信号をコンソール１０及び/又はラップトップ１４に伝送して、接触画面２４に関係する電圧降下の値を指示可能である。電圧降下の値から、上記で説明したように、コンソール１０又はラップトップ１４内の電子プロセッサ（処理装置）は、接触された接触画面２４上の位置を決定可能である。
【００１９】
図４に、本発明のラップトップ式マシンツール制御装置シミレータ（模擬実験装置）１０８の別の実施の形態が図示されている。シミレータ１０８は、模擬されるべき１つ以上のマシンツール制御装置に近似して適合する、外観及び感じを有しても良い、コンソール１１０を具備する。コンソール１０は、４つの立設する脚の形の補助装置を具備しても良く、それらの３つ（脚１１２ａ−ｃ）だけが図面（図５）に示される。１つの実施の形態において、４つの脚の各々は、コンソール１１０のそれぞれ隅部に配設される。１つの実施の形態において、４つの脚の各々は、横方向１６，１８に沿って比較的小さな幅を有するので、ラップトップコンピュータ１１４のための空間を残してコンソール１１０の下に適合し、更に横方向１６，１８に沿ってシミレータ１０８の幅を制限する。１つの実施の形態において、４つの脚の各々は、前及び後ろの方向３２，３４に沿って比較的大きな長さを有して、適切なレベルの安定性を有するコンソール１１０を提供する。ラップトップ１１４及び４つの脚１１２の遠位端部は、テーブルトップ３６等の表面により支持されても良い。
【００２０】
１つの実施の形態において、ラップトップ１１４は、ラップトップ１１４の表示画面１２０が、図１と２に示される２つの制御装置の内少なくとも１つの表示画面を模擬することを可能にさせる、コンパクトディスク（ＣＤ）（図示されない）を介してソフトウェアプログラムをそこに入力する。異なるコンパクトディスクは、ラップトップ１１４に入力しても良くて、マシンツール制御装置の異なるモデルの模擬を可能にしても良い。これとは別に、単一のコンパクトディスクは、マシンツール制御装置の多数のモデルの模擬を可能にする、プログラムを具備しても良い。１つの実施の形態において、ラップトップ１１４に入力された模擬プログラムは、マイクロソフト社により製作されたWINDOWS（登録商標）ソフトウェア製品に基づく。
【００２１】
コンソール１１０は、ＵＳＢケーブル１２２の形の通信媒体を介してラップトップ１１４と通信しても良いので、画面１２０に表示された画像は、コンソール１１０を介して受信されたユーザ入力に反応し且つそれに依存しても良い。ユーザ入力を受信するために、コンソール１１０は、模擬されているマシンツール制御装置のユーザ作動可能デバイス（装置）に適合する、ユーザ作動可能デバイス（装置）を具備しても良い。より特別には、ユーザは、図示される実施の形態において、コンソール１１０上の種々のプッシュボタンを具備する、コンソール１１０上の作動デバイス（装置）１２１により入力を提供しても良い。コンソール１１０及びプッシュボタン１２１は、図７に最も良く示される。プッシュボタン１２１は、図２に示される実際のマシンツール制御装置のレイアウト及び配置と同様なあるいは同一である、物理的レイアウト及び配置を有する。
【００２２】
デバイス１２１を介して受信されたユーザ入力は、ケーブル１２２を介してラップトップ１１４と通信しても良い。ラップトップ１１４に入力されたプログラムはその後、ユーザ入力を処理して、画面１２０上に表示された画像を変更しても良いので、従ってそれにより、実際のマシンツール制御装置の表示画面が同じユーザ入力にどのように反応するであろうかを模倣する。即ち、画面１２０に表示された画像は、コンソール１１０を介して受信されたユーザ入力と実質的に類似した（又は、同様な）、ユーザ入力に応答して実際のマシンツール制御装置により表示されるであろう、画像に対応しても良い。
【００２３】
実際のマシンツール制御装置は、ユーザが指定された領域の画面に接触することを可能にして、それによりユーザ入力を提供する、接触感知式画面を有しても良い。もちろん、標準のラップトップコンピュータは、接触感知式画面を具備しない。従って、実際のマシンツール制御装置をより良く模擬するために、本発明は、シミレータ１０８がユーザ入力を受信するために、デバイス１２１に加えて、別の媒体を提供する、優れて透明な接触画面１２４を具備しても良い。接触画面１２４は、ラップトップ１１４の画面１２０に適用されるか又はそれに重ねられても良い。この実施の形態において、接触画面１２４は、ラップトップ１１４の表示画面１２０に比べて、幅及び高さにおいてより大きい。このことは、表示画面２０が接触画面２４に比べてより大きい、図３の実施の形態とは対照的である。
【００２４】
接触画面２４は、既知の電気的抵抗率（又は、抵抗）の特性を有する、平行な頂部と底部の薄いシート又は層（図示されない）を具備しても良い。前記シートは接触画面１２４の外側フレーム１３８内に保持されても良い。ユーザの指又はツール（器具）が頂部層を押圧して窪ませると、頂部層及び底部層は、物理的にお互いに接触し、電気的に共にショート（短絡）する。既知の電圧が、層の１つに適用可能であり、もう一方の層は、抵抗器を介して地面（又は、接地）に接続可能である。１つの層の地点からもう一方の層の地点までの電圧降下を計測することにより、前記２つの地点間の全体の抵抗は、決定可能であり、従って、窪みが発生した頂部層の地点の座標は、頂部層及び底部層における抵抗の既知のパターン（模様）から計算可能である。底部層は、破壊に対して高い抵抗力のある透明パネルに積層されても良い。
【００２５】
ユーザが、選択されたボタン１２６に重なる、接触画面（タッチスクリーン）１２４の一部分を押圧することにより選択しても良い、図６に最も良く示されるボタン又はアイコン２６等の表示が、画面２０に表示されても良い。接触画面１２４は、ユーザにより押圧された接触画面１２４上の位置を検知しても良く、更にそれの信号指示をラップトップ１１４に送信しても良い。従って、接触画面１２４は、実際のマシンツール制御装置の接触画面形態を模擬することを可能にする。接触画面１２４は、ラップトップ１１４上のＵＳＢポートインターフェースに電気的に接続するＵＳＢ−Ｘコンピュータ１４０を介してラップトップ１１４と通信しても良い。接続ケーブル１４２は、接触画面１２４を制御装置１４０に電気的に接続させる。
【００２６】
ユーザが指又は何かのタイプのツール（器具）でもって接触画面１２４に接触すると、接触画面１２４は、信号をラップトップ１１４に伝送して、接触画面１２４に関係する電圧降下の値を指示する。電圧降下の値から、上記で説明したように、ラップトップ１１４内の電子プロセッサ（処理装置）は、接触された接触画面１２４上の位置を決定する。
【００２７】
図８と９で最も良く示されるように、１つの実施の形態における接触画面１２４は、接触画面１２４をラップトップ１１４の表示画面１２０に取り付けるためのフック（鉤）及びループ（輪）タイプの固定具を有する、紐（ストラップ）１１４ａ−ｄを具備する。
【００２８】
図示される実施の形態において、接触画面１２４は、Richardson, TexasのKeytec, Inc.により製作される１５インチノートブックコンピュータ用のモデルKTMT-1500 Add-On MAGIC TOUCH（登録商標）のタッチスクリーン（接触画面）の形である。
【００２９】
本発明は例示の設計を有するように説明されたが、本発明は、本開示の精神及び範囲内において更に修正されても良い。本願は従って、本発明の一般的な本質を使用する、本発明の任意の変形形態、用途、又は適応をカバーすることが意図される。
【図面の簡単な説明】
【００３０】
【図１】図１は、本発明の使用により模擬されても良い、例示のマシンツール制御装置の立体図である。
【図２】図２は、本発明の使用により模擬されても良い、例示のマシンツール制御装置の立体図である。
【図３】図３は、本発明のラップトップ式マシンツール制御装置シミレータの１つの実施の形態の立体図である。
【図４】図４は、本発明のラップトップ式マシンツール制御装置シミレータの別の実施の形態の立体図である。
【図５】図５は、図４のラップトップ式マシンツール制御装置シミレータの別の立体図である。
【図６】図６は、図４のラップトップ式マシンツール制御装置シミレータの更に別の立体図である。
【図７】図７は、図４のコンソールの頂面図である。
【図８】図８は、図４のラップトップ式マシンツール制御装置シミレータの接触画面の立体図である。
【図９】図９は、図４のラップトップ式マシンツール制御装置シミレータの接触画面の別の立体図である。
【符号の説明】
【００３１】
８    シミレータ
１０    コンソール
１２ａ，１２ｂ，１２ｃ，１２ｄ    脚
１３    キーボード
４    ラップトップコンピュータ
２０    表示画面
２２    ＵＳＢケーブル
２４    接触画面
２６    ボタン又はアイコン
２８    導管
３０    導管
【図１】
2007213580.tif 000003
【図２】
2007213580.tif 000004
【図３】
2007213580.tif 000005
【図４】
2007213580.tif 000006
【図５】
2007213580.tif 000007
【図６】
2007213580.tif 000008
【図７】
2007213580.tif 000009
【図８】
2007213580.tif 000010
【図９】
2007213580.tif 000011